(57)【要約】【課題】包装袋に収容されて供給される画像記録材料の識別情報を確実に取得することができ、その識別情報に従って所望の画像記録材料を選択して画像を適切に記録する。【解決手段】画像記録装置１０に包装体１２を装填した後、画像記録装置１０内に配設された装置内バーコードリーダを用いて包装体１２に貼着されたバーコードを読み取って識別情報を得るとともに、読取ミスの有無を判定し、読取ミスがあったと判定された場合、画像記録装置１０の外部に露出した包装体１２のひれ部１８ａに貼着されたバーコードラベル１９から装置外バーコードリーダ４６等を用いて識別情報を取得し記憶する。【選択図】図１
2004026411.tif 000002
【特許請求の範囲】
【請求項１】
画像記録装置に供給され画像データが記録される複数の画像記録材料と、複数の前記画像記録材料を収容する包装袋とを有し、複数の前記画像記録材料とともに前記画像記録装置に装填された前記包装袋を前記画像記録装置内に巻き取って除去することにより、複数の前記画像記録材料を前記画像記録装置内で開放する記録媒体包装体において、
前記包装袋は、
前記画像記録装置に装填されて巻き取られる際に前記画像記録装置内に設けられた情報読取部によって読み取られる部位に、前記画像記録材料の識別情報を記録した第１情報担持部と、
前記画像記録装置に装填された巻き取り前の状態で前記画像記録装置外に露出する部位に、前記識別情報を記録した第２情報担持部と、
を有することを特徴とする記録媒体包装体。
【請求項２】
請求項１記載の記録媒体包装体において、
前記第２情報担持部には、バーコードと、判読可能な数値データとで前記識別情報が記録されることを特徴とする記録媒体包装体。
【請求項３】
画像データが記録される複数の画像記録材料と、複数の前記画像記録材料を収容する包装袋とを有する記録媒体包装体を画像記録装置に装填した後、前記包装袋を前記画像記録装置内に巻き取って除去することにより、複数の前記画像記録材料を前記画像記録装置内で開放する際、
前記画像記録装置に装填された前記包装袋に記録された前記画像記録材料の識別情報を、前記画像記録装置内に設けられた情報読取部によって読み取る第１ステップと、
前記第１ステップで前記識別情報が正常に読み取られたか否かを判定する第２ステップと、
前記第２ステップでの判定の結果、前記識別情報が正常に読み取られないと判定されたとき、前記画像記録装置外に露出する前記包装袋に記録された前記識別情報を取得する第３ステップと、
前記第２ステップでの判定の結果、前記識別情報が正常に読み取られたと判定されたとき、あるいは、前記第３ステップで前記識別情報が取得されたとき、前記包装体を前記画像読取装置内に巻き取って除去する第４ステップと、
からなることを特徴とする記録媒体包装体の処理方法。
【発明の詳細な説明】
【０００１】
【発明の属する技術分野】
本発明は、画像記録装置に供給され画像データが記録される複数の画像記録材料と、複数の前記画像記録材料を収容する包装袋とを有し、複数の前記画像記録材料とともに前記画像記録装置に装填された前記包装袋を前記画像記録装置内に巻き取って除去することにより、複数の前記画像記録材料を前記画像記録装置内で開放する記録媒体包装体およびその処理方法に関する。
【０００２】
【従来の技術】
近年、ＣＴ（Ｃｏｍｐｕｔｅｄ　Ｔｏｍｏｇｒａｐｈｙ）装置、ＣＲ（Ｃｏｍｐｕｔｅｄ　Ｒａｄｉｏｇｒａｐｈｙ）装置、ＭＲＩ（Ｍａｇｎｅｔｉｃ　Ｒｅｓｏｎａｎｃｅ　Ｉｍａｇｉｎｇ）装置等のコンピュータ支援診断装置が医療分野において広汎に利用されている。これらの装置を用いて得られた電気信号としての被写体の放射線画像情報は、画像処理装置に転送された後、診断に適した所望の画像処理が施され、ＣＲＴ（Ｃａｔｈｏｄｅ　Ｒａｙ　Ｔｕｂｅ）やフイルム等の画像記録材料に出力される。
【０００３】
この場合、画像記録材料に対して放射線画像情報を記録する画像記録装置では、例えば、積層状態で供給されるシート状の画像記録材料を枚葉して画像記録部まで搬送した後、放射線画像情報に応じて変調されたレーザビームを画像記録材料に照射することにより、所望の画像処理が施された放射線画像を得ている。
【０００４】
ところで、このような画像記録装置では、放射線画像情報の種類や画像の大きさ等に応じて、最適な感度特性あるいはサイズからなる画像記録材料を選択して放射線画像情報を記録する必要がある。
【０００５】
そこで、例えば、特開２０００−２９２８９８号公報には、フイルムの濃度特性情報等を記録したバーコードシールが貼着されたフイルム包装体を画像形成装置に装填し、前記バーコードシールの情報を装置内の読み取りセンサを用いて読み取った後、フイルム包装体の包装部材を装置内に巻き取ることでフイルムを開放し、所望の画像の記録に供するようにした従来技術が開示されている。
【０００６】
【発明が解決しようとする課題】
この場合、読み取りセンサがバーコードシールから情報を正常に読み取ることができれば、その情報に基づいて所望のフイルムを選択して画像の記録を行うことができる。
【０００７】
しかしながら、情報の読み取りに失敗した場合、バーコードシールが貼着されている包装部材が装置内に既に巻き取られてしまっていると、所望のフイルムを選択して画像を記録するために必要な情報を得ることができなくなってしまう。
【０００８】
本発明は、前記の不具合を解消するためになされたものであって、包装袋に収容されて供給される画像記録材料の識別情報を確実に取得することができ、その識別情報に従って所望の画像記録材料を選択して画像を適切に記録することのできる記録媒体包装体およびその処理方法を提供することを目的とする。
【０００９】
【課題を解決するための手段】
本発明に係る記録媒体包装体は、画像記録装置に供給され画像データが記録される複数の画像記録材料と、複数の前記画像記録材料を収容する包装袋とを有し、複数の前記画像記録材料とともに前記画像記録装置に装填された前記包装袋を前記画像記録装置内に巻き取って除去することにより、複数の前記画像記録材料を前記画像記録装置内で開放する記録媒体包装体において、
前記包装袋は、
前記画像記録装置に装填されて巻き取られる際に前記画像記録装置内に設けられた情報読取部によって読み取られる部位に、前記画像記録材料の識別情報を記録した第１情報担持部と、
前記画像記録装置に装填された巻き取り前の状態で前記画像記録装置外に露出する部位に、前記識別情報を記録した第２情報担持部と、
を有することを特徴とする。
【００１０】
また、本発明に係る記録媒体包装体の処理方法は、画像データが記録される複数の画像記録材料と、複数の前記画像記録材料を収容する包装袋とを有する記録媒体包装体を画像記録装置に装填した後、前記包装袋を前記画像記録装置内に巻き取って除去することにより、複数の前記画像記録材料を前記画像記録装置内で開放する際、
前記画像記録装置に装填された前記包装袋に記録された前記画像記録材料の識別情報を、前記画像記録装置内に設けられた情報読取部によって読み取る第１ステップと、
前記第１ステップで前記識別情報が正常に読み取られたか否かを判定する第２ステップと、
前記第２ステップでの判定の結果、前記識別情報が正常に読み取られないと判定されたとき、前記画像記録装置外に露出する前記包装袋に記録された前記識別情報を取得する第３ステップと、
前記第２ステップでの判定の結果、前記識別情報が正常に読み取られたと判定されたとき、あるいは、前記第３ステップで前記識別情報が取得されたとき、前記包装体を前記画像読取装置内に巻き取って除去する第４ステップと、
からなることを特徴とする。
【００１１】
この場合、第１情報担持部からの識別情報の読み取りを正常に行うことができなかった場合、画像記録装置外に露出する部位に記録された第２情報担持部から識別情報を取得し、画像記録装置に設定することができる。画像記録装置では、得られた識別情報に従って所望の画像記録材料を選択し、画像の記録処理を行う。
【００１２】
なお、第２情報担持部に記録される識別情報を、バーコードと判読可能な数値データとで構成することにより、第１情報担持部からの識別情報の読み取りに失敗したとき、画像記録装置外に配設されているバーコードリーダを用いてバーコードを読み取り、あるいは、作業者が数値データを直接画像記録装置に入力することで、識別情報を取得することができる。
【００１３】
【発明の実施の形態】
図１は、本発明に係る記録媒体包装体およびその処理方法が適用される画像記録装置１０の概略構成斜視図である。この画像記録装置１０では、図示しないＣＴ装置、ＣＲ装置等から供給される放射線画像情報が画像記録材料に可視画像として記録される。
【００１４】
図２に示すように、画像記録装置１０に装填される本実施形態に係る包装体１２（記録媒体包装体）は、画像記録材料を光密に保持する遮光袋１４（包装袋）と、遮光袋１４に積層状態で収納される画像記録材料であるシート状のフイルムＦと、フイルムＦを保護するための当て紙１６とを含む。
【００１５】
遮光袋１４は、前後に突出する所定幅のひれ部１８ａ、１８ｂを有する。一方のひれ部１８ａには、遮光袋１４に収納されるフイルムＦに係るサイズ、感度、製造時期、製造場所、製造ロット番号、製造会社名等の識別情報を記録したバーコードラベル１９（第２情報担持部）が貼着される。なお、バーコードラベル１９には、前記識別情報を記録したバーコード２１と、バーコード２１に記録された識別情報に対応し、作業者が判読可能な数値データ２３とが印刷されている。他方のひれ部１８ｂには、画像記録装置１０内において遮光袋１４を巻き取るための複数の係合孔２５ａ〜２５ｃが形成される。
【００１６】
当て紙１６は、例えば、ボール紙等を折曲形成したもので、最下部のフイルムＦ側に配置される下面部２０ａと、最上部のフイルムＦ側に配置される上面部２０ｂと、下面部２０ａおよび上面部２０ｂを繋ぐ側面部２０ｃと、ひれ部１８ｂ側のフイルムＦの側部に配置される側面部２０ｄとを有する。
【００１７】
また、包装体１２には、図３に示すように、遮光袋１４の外表面の中、当て紙１６の下面部２０ａ側の部位であってひれ部１８ａ寄りの部位にバーコードラベル２６（第１情報担持部）が貼着されている。このバーコードラベル２６には、ひれ部１８ａに貼着されたバーコードラベル１９と同様に、フイルムＦの識別情報を記録したバーコード２２および数値データ２４が印刷されている。
【００１８】
次に、図１および図４に基づいて画像記録装置１０の構成を説明する。画像記録装置１０は、筐体３５の側面部から複数の包装体１２を装填可能な載置台３６、３８、４０を有する。最上部の載置台３６の上部には、画像記録装置１０の動作状態や所望の作業指示を行うための表示部４２と、画像記録装置１０に対してデータを入力するためのデータ入力部４４とが配設される。
【００１９】
ここで、図５に示すように、包装体１２が装填される載置台３６、３８、４０は、遮光袋１４のひれ部１８ｂを挟持するニップローラ２７ａ、２７ｂと、ひれ部１８ｂに形成された係合孔２５ａ〜２５ｃに係合する係合部２９ａ〜２９ｃを有し、遮光袋１４を巻き取る巻取ローラ３１とを備える。
【００２０】
画像記録装置１０の筐体３５内には、収納状態にある各載置台３６、３８、４０の上部に近接して画像記録装置１０内で開放状態にあるフイルムＦを枚葉する枚葉機構４８、５０、５２が配設される。また、載置台３６、３８、４０の下面部には、包装体１２の遮光袋１４に貼着されたバーコードラベル２６に記録された識別情報を読み取るための装置内バーコードリーダ４３、４５、４７（情報読取部）が配設されている。具体的には、装填されている包装体１２の遮光袋１４に貼着されているバーコードラベル２６の位置に対応して開口部３７、３９、４１が形成されており、これらの開口部３７、３９、４１に臨むようにして装置内バーコードリーダ４３、４５、４７が配設されている。
【００２１】
最上部の載置台３６の上部には、画像記録部５４が配設される。画像記録部５４は、放射線画像情報に基づいて変調されたレーザビームＬを搬送されたフイルムＦに照射することで潜像からなる放射線画像を記録する。なお、画像記録部５４では、フイルムＦがローラ５６によってプレート５８に押圧された状態で搬送される。
【００２２】
画像記録装置１０の上部であって画像記録部５４の側部には、放射線画像情報の記録されたフイルムＦを加熱することで潜像を顕像に変換する熱現像部６０が配設される。熱現像部６０は、フイルムＦを搬送する複数のローラ６２と、複数のローラ６２に沿って湾曲形成され、搬送中のフイルムＦを加熱するプレートヒータ６４ａ〜６４ｃと、複数のローラ６２を回転駆動するドラム６６とを有する。
【００２３】
筐体３５の最上部には、熱現像部６０に連設して冷却部６８が配設される。冷却部６８によって冷却されたフイルムＦは、筐体３５の上面部である排出部７０に排出される。
【００２４】
画像記録装置１０は、図６に示すように、制御部７２によって全体の動作制御が行われる。制御部７２には、装置内バーコードリーダ４３、４５、４７、装置外バーコードリーダ４６、表示部４２、データ入力部４４がそれぞれ接続される。また、制御部７２は、枚葉機構４８、５０、５２と、フイルムＦを画像記録装置１０内で搬送する搬送機構７４とを制御する。さらに、制御部７２には、載置台３６、３８、４０が画像記録装置１０内に収納状態であることを検知する載置台検知部７６と、画像記録装置１０内での遮光袋１４の有無を検知する遮光袋検知部７８とが接続される。さらにまた、制御部７２には、装置内バーコードリーダ４３、４５、４７によって読み取られた識別情報を記憶するデータ記憶部８０が接続される。
【００２５】
本実施形態の画像記録装置１０およびそれに装填される包装体１２は、基本的には、以上のように構成されるものであり、次に、これらを用いた処理方法につき、図７に示す処理フローチャートに基づいて説明する。
【００２６】
準備段階として、載置台３６、３８、４０の１つ（この場合、載置台３６とする。）を画像記録装置１０から引き抜き、図５に示すように、遮光袋１４のひれ部１８ｂに形成された係合孔２５ａ〜２５ｃを巻取ローラ３１の係合部２９ａ〜２９ｃに係合させるとともに、ひれ部１８ｂのフイルムＦ寄りの部位をニップローラ２７ａ、２７ｂによって挟持させる。次いで、ひれ部１８ａを載置台３６の前部から外部に露出させ、遮光袋１４に貼着されたバーコードラベル２６（図３参照）を下にした状態で包装体１２を当該載置台３６に収納する。この場合、バーコードラベル２６は、載置台３６に形成された開口部４１を介して外部から検出可能な状態となる（図４参照）。
【００２７】
以上のようにして包装体１２を載置台３６に収納した後、載置台３６とともに包装体１２を画像記録装置１０に装填する（ステップＳ１）。この場合、遮光袋１４のひれ部１８ａは、画像記録装置１０から外部に露出するように設定する。包装体１２を画像記録装置１０に装填した後、ひれ部１８ａの端部を切除する。なお、遮光袋１４は、載置台３６の内周壁に押圧された状態で収納されているため、内部のフイルムＦが光密な状態に維持される。
【００２８】
制御部７２は、載置台検知部７６からの載置台検出信号に基づき、載置台３６が画像記録装置１０に装填されたことを確認すると（ステップＳ２）、図示しない駆動源を駆動し、載置台３６に配設された巻取ローラ３１を図５に示す矢印方向に回転させることで遮光袋１４の巻き取りを開始するとともに（ステップＳ３）、装置内バーコードリーダ４３を用いて、載置台３６に収納された包装体１２の遮光袋１４に貼着されたバーコードラベル２６に記録されたバーコード２２を読み取る（ステップＳ４）。
【００２９】
制御部７２は、装置内バーコードリーダ４３によって読み取ったバーコードラベル２６におけるバーコード２２から得られたバーコードデータをチェックする（ステップＳ５）。バーコードデータのチェック方法としては、例えば、チェックデジット方式を用いた周知の方法が知られている。
【００３０】
バーコードデータをチェックした結果、正常に読み取りが行われたと判定された場合は、そのバーコードデータに係る識別情報を当該載置台３６を特定する情報とともにデータ記憶部８０に記憶し（ステップＳ６）、遮光袋１４の巻き取り処理を継続する（ステップＳ７）。
【００３１】
一方、ステップＳ５においてバーコードデータをチェックした結果、読取異常と判定された場合、制御部７２は、巻取ローラ３１の回転を直ちに停止させて遮光袋１４の巻き取り処理を中止させるとともに（ステップＳ８）、表示部４２に読取異常のあったことを表示する（ステップＳ９）。なお、読取異常を表示するとともに、警告音を発するようにしてもよい。読取異常の発生原因としては、載置台３６に対する包装体１２の収納状態の不具合、あるいは、装置内バーコードリーダ４３によるバーコード２２の読取ミス等が考えられる。
【００３２】
読取異常の表示等があった場合、作業者は、画像記録装置１０の外部に配設した装置外バーコードリーダ４６あるいはデータ入力部４４を用いて識別情報の入力作業を行う。この場合、載置台３６が装填された状態において、画像記録装置１０の前部には、遮光袋１４のひれ部１８ａが露出しており、そのひれ部１８ａに識別情報の記録されたバーコードラベル１９が貼着されている。従って、作業者は、このバーコードラベル１９に印刷されたバーコード２１を装置外バーコードリーダ４６を用いて読み取ることができる。また、バーコード２１に併設して印刷されている数値データ２３をデータ入力部４４を用いて直接入力してもよい。
【００３３】
作業者によるバーコード２１または数値データ２３に基づく識別情報が入力されると（ステップＳ１０）、制御部７２は、その識別情報が正常に入力されたか否かをチェックし（ステップＳ１１）、正常に入力されたと判定された場合、識別情報を当該載置台３６を特定する情報とともにデータ記憶部８０に記憶させる（ステップＳ６）。次いで、遮光袋１４の巻き取り処理を再び開始する（ステップＳ７）。遮光袋１４が巻取ローラ３１に完全に巻き取られると、フイルムＦが画像記録装置１０内に開放される。
【００３４】
制御部７２は、遮光袋検知部７８からの遮光袋検出信号に基づき、遮光袋１４が完全に巻き取られたことを確認すると（ステップＳ１２）、所望のフイルムＦを枚葉して放射線画像情報を記録する処理を開始する。
【００３５】
具体的には、制御部７２は、データ記憶部８０に記憶されているフイルムＦの識別情報とそのフイルムＦが収納されている載置台３６、３８、４０の情報とを用いて、所望のフイルムＦが収納されている載置台３６、３８、４０を選択する（ステップＳ１３）。
【００３６】
載置台３６、３８、４０が選択されると、制御部７２は、枚葉機構４８、５０、５２および搬送機構７４を付勢し、所望のフイルムＦを枚葉して画像記録部５４まで搬送する（ステップＳ１４）。
【００３７】
画像記録部５４に搬送されたフイルムＦは、ローラ５６およびプレート５８によって副走査方向に挟持搬送されるとともに、画像記録部５４からの放射線画像情報に応じて変調されたレーザビームＬが主走査方向に照射されることにより、潜像としての放射線画像がフイルムＦに２次元的に記録される（ステップＳ１５）。
【００３８】
放射線画像が記録されたフイルムＦは、熱現像部６０において、ローラ６２およびプレートヒータ６４ａ〜６４ｃにより挟持搬送され、プレートヒータ６４ａ〜６４ｃから付与される熱によって加熱現像され、潜像が顕像に変換される（ステップＳ１６）。顕像が記録されたフイルムＦは、冷却部６８において冷却された後（ステップＳ１７）、排出部７０に排出される（ステップＳ１８）。
【００３９】
このように、本実施形態においては、画像記録装置１０に装填された包装体１２の遮光袋１４に貼着されたバーコードラベル２６から識別情報を読み取る処理を行い、読取ミスがあると判定されたとき、遮光袋１４を巻き取る処理を中止し、表示部４２等を介して作業者に読取ミスのあることを報知する。この場合、作業者は、画像記録装置１０の前部に露出している遮光袋１４のひれ部１８ａに貼着されたバーコードラベル１９を用いて識別情報を入力することができる。従って、識別情報が画像記録装置１０に確実に設定された状態でフイルムＦに対する画像記録処理を遂行することができる。
【００４０】
なお、上述した実施形態では、バーコードラベル１９、２６を遮光袋１４に貼着するようにしているが、識別情報を示すバーコードまたは数値データを遮光袋１４に直接印刷するようにしてもよい。また、バーコードラベル１９、２６に替えて、識別情報を保持した磁気ラベル、ＩＣ（Ｉｎｔｅｇｒａｔｅｄ　Ｃｉｒｃｕｉｔ）チップ、ＲＦ−ＩＤ（Ｒａｄｉｏ　　Ｆｒｅｑｕｅｎｃｙ−ＩＤｅｎｔｉｆｉｃａｔｉｏｎ）タグ等を遮光袋に貼着し、これらから識別情報を取得するようにしてもよい。
【００４１】
【発明の効果】
以上説明したように、本発明によれば、包装袋を画像記録装置内に巻き取ることで画像記録材料を画像記録装置内に開放する記録媒体包装体において、前記画像記録材料の識別情報を確実に取得することができ、その識別情報に従って所望の画像記録材料を選択して画像を適切に記録することができる。
【図面の簡単な説明】
【図１】本実施形態に係る画像記録装置の概略構成斜視図である。
【図２】本実施形態に係る画像記録装置に装填される包装体の説明図である。
【図３】包装体を背面から見た説明図である。
【図４】本実施形態に係る画像記録装置の内部構成説明図である。
【図５】本実施形態に係る画像記録装置の載置台に装填された包装体の状態を示す断面図である。
【図６】本実施形態に係る画像記録装置の制御ブロック図である。
【図７】本実施形態に係る画像記録装置における処理フローチャートである。
【符号の説明】
１０…画像記録装置　　　　　　　　　　　　１２…包装体
１４…遮光袋　　　　　　　　　　　　　　　１９、２６…バーコードラベル
２１、２２…バーコード　　　　　　　　　　２３、２４…数値データ
３６、３８、４０…載置台　　　　　　　　　３７、３９、４１…開口部
４３、４５、４７…装置内バーコードリーダ　４６…装置外バーコードリーダ
７２…制御部
【図１】
2004026411.tif 000003
【図２】
2004026411.tif 000004
【図３】
2004026411.tif 000005
【図４】
2004026411.tif 000006
【図５】
2004026411.tif 000007
【図６】
2004026411.tif 000008
【図７】
2004026411.tif 000009